(57)【要約】【課題】ワンタッチ操作が容易であり、低コストで製造可能なランプ・アセンブリを提供する。【解決手段】変形可能な反射板を備える、噛み合わせ式の携帯型ランプ・アセンブリを形成することができる。反射板内のカットアウトは、軸方向に湾曲させてスプリング作動式電気スイッチを始動することが可能な、弾力のある柔軟なウェブを形成する。被覆レンズは、ランプをオン又はオフに切り換える始動力を伝達することができる。この構造物はコンパクトである故に、ワンタッチ操作が容易であり、低コストで製造可能である。【選択図】  なし
2009505873.tif 000002
【特許請求の範囲】
【請求項１】
携帯型ランプ・アセンブリであって、
基部を含み電源を収容する筐体と、前記筐体によって、照明対象となるフィールドに向かって軸方向に対面するように機械的に支持される少なくとも１つの光源と、前記基部上で支持され、反対の軸方向の動きによるスイッチ接点との強制的な接触によって、オン位置とオフ位置の間で作動されるように配向されるスプリング駆動型電気スイッチとを備え、前記電源、少なくとも１つの光源、及びスイッチは、切り換え回路として電気的に相互連結され、更に、
前記筐体に定着される第１の連結点と、前記スイッチ点に接する第２の連結点とを有する反射板であって、前記第１の連結点と前記第２の連結点との中間で弾力的に変形させることができ、前記光源をそれ自体の内部に収容することができるようなサイズ及び位置に形成された通路を更に含む反射板
を備えるランプ・アセンブリ。
【請求項２】
前記反射板に取り付けられ、前記反射板とともに少なくとも前記光源の発光部分を実質的に収容する空洞を画定する透光レンズを更に含む、請求項１に記載のランプ・アセンブリ。
【請求項３】
前記光源は、前記スイッチの周囲に配列された複数のＬＥＤを備える、請求項１に記載のランプ・アセンブリ。
【請求項４】
前記反射板は、形成された前記通路近傍の前記反射板上に形成され、前記光源から放射される光を受けることができるように前記光源と対面する光学面を含む、請求項１に記載のランプ・アセンブリ。
【請求項５】
前記反射板は、少なくとも１つのカットアウト領域を含む、請求項１に記載のランプ・アセンブリ。
【請求項６】
携帯型ランプ・アセンブリであって、
基部を有し、密閉容積及び前記筐体を貫通して前記密閉容積に達する開口部を画定し、電池電源を収容する円筒形の筐体と、前記筐体によって、照明対象となるフィールドに向かって軸方向に、前記開口部を介して対面するように機械的に支持され、前記スイッチ接点の周囲に対称的に配列された複数のＬＥＤ光源と、前記基部上で支持され、反対の軸方向の動きによる、前記開口部の中央に配置されたスイッチ接点との強制的な接触によって、オン位置とオフ位置の間で作動されるように配向される、スプリングの伸張によって作動される電気スイッチとを備え、前記電池電源、前記ＬＥＤ光源、及び前記スイッチは、切り換え回路として電気的に相互連結され、更に、
弾力性のある柔軟なシート材料から形成され、前記円形開口部に達するサイズ及び形状を有し、前記反射板の周辺上に形成され、前記筐体と前記連結点で連結された複数の連結点を有し、前記スイッチ接点に接するように中央に配置された反射板接点を有する反射板であって、各ＬＥＤ毎に、前記各ＬＥＤを前記各通路に通すことを可能にする対応する通路を含み、前記各通路近傍に形成され、前記各ＬＥＤ光源から放射される光を受けるように、また、そのような光を照明対象となるフィールドに向けて反射するように配置された各光反射面を含み、前記連結点と前記反射板接点の中間に放射状に配置され、それによって前記反射板を前記連結点と前記スイッチ接点の中間で弾力的に変形させることが可能となる複数のカットアウトを更に含み、レンズ連結部を更に含む反射板と、
前記反射板と連結され、少なくとも前記ＬＥＤ光源と前記各反射面に達する透光レンズと
を備えるランプ・アセンブリ。
【請求項７】
携帯型ランプ・アセンブリであって、
切り換え回路として電気的に相互連結される、基部を含み電源を収容する筐体、及び、前記筐体によって、照明対象となるフィールドに向かって軸方向に対面するように機械的に支持される少なくとも１つの光源、及び、電気スイッチと、
前記筐体に定着される第１の連結点を有する反射板であって、前記光源をそれ自体の内部に収容することができるようなサイズ及び位置に形成された通路を更に含む反射板と
を備え、
前記筐体は、その面から立ち上がる少なくとも１つのマウンドを有する取付け面を提供する裏面を有する、
ランプ・アセンブリ。
【請求項８】
携帯型ランプ・アセンブリであって、
基部を含み電源を収容する筐体と、前記筐体によって、照明対象となるフィールドに向かって軸方向に対面するように機械的に支持される少なくとも１つの光源と、電気スイッチとを備え、前記電源、少なくとも１つの光源、及びスイッチは、切り換え回路として電気的に相互連結され、更に、
前記筐体に定着される第１の連結点を有する反射板であって、前記光源をそれ自体の内部に収容することができるようなサイズ及び位置に形成された通路を更に含む反射板
を備え、
前記筐体は、表面取付けを可能にする両面粘着テープを支持する取付け面を提供する裏面を有する、
ランプ・アセンブリ。
【発明の詳細な説明】
【技術分野】
【０００１】
[001]  本発明は電灯に関するものであり、特に携帯型電灯に関するものである。より詳細には、本発明は携帯型ＬＥＤランプ・アセンブリに関するものである。
【背景技術】
【０００２】
[002]  自動車は一般に、車内を照明する車内天井灯を有する。時折、光の量又は向きが所望の用途にそぐわないことがある。例えば、後部エリアに十分な量の光が届かないことも、照明対象のアイテムを適切な形で確認できるよう接近して照明する必要が生じることもある。また、車内ランプを点灯している間もドライバの視界を遮らないことが望ましい可能性がある。同様に、車外での使用のために取り外すことができるとともに、コンパクトで容易に点灯することができ、車内に様々な形で取り付けることができるランプを有することが望ましい可能性がある。通常の懐中電灯は嵩張るため、ドライバが運転中に操作するのが困難なこともある。通常の懐中電灯は、稼動寿命を長くするために電池に依存するが、長い稼動寿命のものほど嵩張り、車内に配置することが容易ではない。通常の懐中電灯は、仮にそれが望まれたとしても、車内の固定位置に取り付けることはできない。
【発明の開示】
【発明が解決しようとする課題】
【０００３】
それ故、点灯容易かつ長寿命の、取り外し可能な車内ランプが必要とされている。
【課題を解決するための手段】
【０００４】
[003]  携帯型ＬＥＤランプ・アセンブリは、基部を含む筐体から作成することができる。前記筐体は、電源と、少なくとも１つのＬＥＤ光源と、スプリング駆動型電気スイッチとを収容する。前記光源は、前記筐体によって、照明対象となるフィールドに向かって軸方向に対面するように機械的に支持される。前記スイッチは、前記基部上で支持され、反対の軸方向の動きによるスイッチ接点との強制的な接触によって、オン位置とオフ位置の間で作動されるように配向される。前記電源、少なくとも１つのＬＥＤ光源、及びスイッチは、切り換え回路として電気的に相互連結される。前記ランプは、前記筐体に定着された第１の連結点と、前記スイッチ点に接する第２の連結点とを有する反射板を含む。前記反射板は、前記第１の連結点と前記第２の連結点との中間で弾力的に変形することが可能である。前記反射板は更に、前記ＬＥＤ光源をそれ自体の内部に収容することができるようなサイズ及び位置に形成された通路も含む。
【発明を実施するための最良の形態】
【０００５】
[0012]  図１は、カバー・レンズ越しに見た携帯型ランプ１０の正面斜視図である。携帯型ランプ・アセンブリ１０は、筐体、電池１４、ＬＥＤ光源１６、スイッチ１８、反射板２０、及びカバー・レンズ２２から形成することができる。
【０００６】
[0013]  好ましい筐体形状は、軸方向の高さよりも半径が大きい円筒形である。この筐体は好都合なことに、バック・プレート２４やフェース・リング３８等のサブセクションから形成することができる。
【０００７】
[0014]  図２は、バック・プレート２４の正面斜視図である。バック・プレート２４は、打ち抜き板金、成形プラスチック、又は他の材料から形成することができる。好ましいバック・プレート２４は、好都合には電池１４、光源１６、スイッチ１８、反射板２０、及びフェース・リング３８を受ける成形ボス及び保持器を備える非導電性プラスチックでできている。好ましい諸実施形態では、各電池端子（図２では１組だけ識別される）を接触させる対応する３組の導電性スプリング・クリップ２８を含む、３組の電池ブラケット２６が設けられる。電池ブラケット２６は、対応する管状電池を受け、それらの管状電池を後ろ側から押すことで容易に取り替えることが可能となる、バック・プレート２４の裏面に形成された成形管状凹部（ｍｏｌｄｅｄ  ｔｕｂｕｌａｒ  ｒｅｃｅｓｓ）であってもよい。電池ブラケット２６は、導電性スプリング・クリップ２８を電池側の端子と近接して配置し、それらの端子と接触させることが可能となる開放端部又は溝を有するように成形することができる。同様に、３つのＬＥＤ光源１６（図２では１つだけ識別される）は、３組のランプ・ブラケット３０（図２では１つだけ識別される）内に保持される。スイッチ１８は、中央部に配置されたスイッチ・ブラケット３２の範囲を確定する１組の柱材（ｐｏｓｔ）によって保持される。周辺部に配置された３つの支柱（ｓｕｐｐｏｒｔ  ｐｏｓｔ）３４（図２では１つだけ識別される）は、反射板２０の周辺に連結される形で形成されている。好ましい柱材３４としては、反射板２０内に形成された穴５６に嵌めることが可能なボール又はピン・トップ３６が挙げられる。更に、バック・プレート２４の裏面（図示せず）は、当業界で周知の様々な好都合な取付け機構、例えば、露出可能な接着面、Ｖｅｌｃｒｏ面、振動旋回軸、スプリング・クリップ、カー・バイザを留める硬性ループ材（ｓｔｉｆｆ  ｌｏｏｐ）、磁石、車内の好都合な場所に取り付けられるように適合された他の任意の好都合な構造物等を用いて形成することができる。好ましい裏付け材（ｂａｃｋ  ａｔｔａｃｈｍｅｎｔ）は、バック・プレート２４にねじ取り付けするための３つの穴を備えるカバー・プレート１００である。カバー・プレート１００は、外側から両面粘着テープ１０４に接触させることができ、それによって使用可能な任意の表面にＬＥＤランプを貼り付けることが可能となる。
【０００８】
[0015]  図３は、フェース・リング３８の断面図である。好ましいフェース・リング３８は、円筒形の側壁４０を有するように板金又は成型プラスチックから打ち抜き加工される。好ましい円筒形の側壁４０は、好ましくは円形の中央開口部４６とともに形成された前面４４に通じる圧延肩部（ｒｏｌｌｅｄ  ｓｈｏｕｌｄｅｒ）４２を有する。中央開口部４６は、軸４８に沿って照明対象となるフィールドと対面する。バック・プレート２４及びフェース・リング３８は、必要に応じて使用者が開放可能な連結部と噛み合わせることが可能な圧縮性の取付け部品５０を用いて形成することができる。
【０００９】
[0016]  バック・プレート２４とフェース・リング３８から構成されるアセンブリが密閉容積（ｅｎｃｌｏｓｅｄ  ｖｏｌｕｍｅ）を画定し、円形開口部４６がこの密閉容積に相当する。この容積に収容されるのは、例えば電池ブラケット２６及びスプリング・クリップ２８によって形成されるバック・プレート２４の近傍で保持される単４電池等の電池電源である。スプリング・クリップ２８同士は、動作中の回路５４の一部として配線で連結される。
【００１０】
[0017]  １つ又は複数のＬＥＤ光源１６は、バック・プレート２４上に形成されたランプ・ブラケット３０に装着される。ＬＥＤ光源１６は、円形のフェース・リング開口部４６を軸方向に通過し、照明対象となるフィールドと対面するように、バック・プレート２４によって機械的に支持される。この好ましい実施形態において、３つのＬＥＤ光源１６は、軸４８の周囲に等辺状に配置される。回路内の配線によってＬＥＤ光源１６を電池１４及びスイッチ１８と連結させることにより、回路５４を形成することができる。
【００１１】
[0018]  スイッチ１８は、好ましくは円形のフェース・リング開口部４６と対面するように中央に配置される、スイッチ・ブラケット３２内に配置される。スプリングの伸張によって作動される電気スイッチ（ｓｐｒｉｎｇ  ｔｅｎｓｉｏｎ  ｏｐｅｒａｔｅｄ  ｅｌｅｃｔｒｉｃ  ｓｗｉｔｃｈ）１８は、バック・プレート２４の片面に装着され、一方、スイッチ１８の反対面には、軸方向の前方を向き、フェース・リング開口部４６の軸方向に突き出した領域内に所在し、好ましくはフェース・リング開口部４６の軸方向の投影領域の中央に所在する、スイッチ接点５２が設けられている。その後、スイッチ１８は、反対の軸方向のスイッチ接点５２との強制的な接触によって、オン位置とオフ位置の間で軸方向に作動される。電池電源１４、ＬＥＤ光源１６、及びスイッチ１８は、切り換え回路５４として電気的に連結される。追加的な回路特徴としては、携帯型光源の技術分野では周知のとおり、高低照明レベル、シグナリング、点滅、色変更等を挙げることができる。
【００１２】
[0019]  図４は、反射板２０の正面斜視図である。反射板２０は、弾力性のある柔軟なシート材料から形成され、少なくとも円形開口部４６に達するサイズ及び形状を有する。好ましい反射板２０は、反射板２０の周辺リング５８上に形成された複数の連結点５６を有し、各連結点５６は、バック・プレート２４と連結される。好ましい取付けは、連結用の各ボール又はピン・トップ３６を周辺リング５８内に形成された連結点５６を形成する各穴に嵌合させることにより、延長された支柱３４間で形成される。次に、反射板２０は、周辺リング５８に沿ってバック・プレート２４に取り外し可能に取り付けられる。反射板２０は、前面のスイッチ接点５２と直接又は間接的に接するように配置された反射板接点６０も含む。例えば、スイッチ接点５２を中央に配置した場合は、反射板接点６０も中央に配置することができる。反射板２０は、各ＬＥＤ光源１６毎に、少なくとも各ＬＥＤ１６の発光部分の通過を可能にする対応する通路６２を含んでおり、通路６２は、ＬＥＤモジュールの一部を形成する導光器の放射端とすることができる。同様に、反射板２０は、各通路６２と隣接する壁部で形成されることが好ましく、それにより、各通路６２内に配置されたＬＥＤ光源１６から放射される光を受けるように、また、その光を照明対象となるフィールドに向けて反射するように配置される光反射面６４を提供することが好ましい。ＬＥＤの電気接続、ヒート・シンク、及び他の非発光部分は、必ずしも反射面６４に露出させる必要はなく、また、必ずしも画定された通路６２内に所在させる必要もないが、反射板２０の裏面上に所在させることができる。反射板２０は更に、連結点５６と反射板接点６０の間に介在するように放射状に配置された複数のカットアウト６６も含む。この好ましい実施形態では、周辺リング５８と、反射板接点６０、通路６２、及び反射面６４を伴う中央領域とを接続する、弾力性のある柔軟な３つの小型ブリッジ６８だけを残して、３つのカットアウト６６が共通円上に延在している。これによって弾力性のある柔軟なウェブが形成され、その結果、反射板２０を連結点５６と反射板接点６０の中間で、弾力的に軸方向に変形させることができるようになる。その後、反射板２０を軸方向に繰返し変形させてスイッチ接点５２に対して軸方向に押し付け、スイッチ１８をオフ位置とオン位置の間で遷移させることが可能となる。好ましい反射板２０は更に、レンズ連結部７０（例えばカットアウト６６内部に放射状に形成された円形壁又は円形の隙間）も含んでいるため、硬質のレンズ２２が反射板２０の軸方向の変形を妨げることはない。
【００１３】
[0020]  図５は、レンズ２２が所定の位置に置かれた携帯型ランプ１０の側面図である。反射板２０には好ましくは透光レンズ２２が連結される。レンズ２２は、少なくともＬＥＤ光源１６及び各反射面６４の軸方向の突起部に達する。例えば、周辺端部を備える円形レンズ２２を、対応する円形壁に対して円周上に取り付けることも、反射板２０上に形成された円形の隙間（レンズ連結部７０）に取り付けることもできる。
【００１４】
[0021]  図６は、カバー・プレート１００に収容されるバック・プレート２４及び電池１４を示す展開図である。カバー・プレート１００の裏面には、ＬＥＤランプを好都合な任意の表面上に取り付けることが可能となる両面粘着テープ１０２が配置されている。バック・プレート２４は、３つのねじ１０４によってカバー・プレート１００と連結することができる。
【００１５】
[0022]  図７は、代替的なバック・プレート１０６を示している。代替的なバック・プレート１０６は、それぞれバック・プレート１０６の外縁部に隣接して配置され、バック・プレート１０６の外縁に沿って等角に配置される３つの突起状マウンド１０８で形成される。マウンド１０８は、筐体の裏面の周辺領域から立ち上がっている。好ましいマウンド１０８は、バック・プレート１０６の周囲平面に沿う円周を有する球状区域である。マウンド１０８の直径は、バック・プレート１０６の直径の約１／３であり、周囲平面からの中心高さは約０．２５ミリメートルである。第１の例に係るマウンド１０８を用いると、携帯型ランプを平坦な取付け面に対して前後に振動させ、それによって携帯型ランプの位置を自由に移動させることが可能となる。第２の例に係るマウンド１０８を用いると、携帯型ランプを凹凸のある取付け面の突起部及び隙間に収容することが可能となる。
【００１６】
[0023]  図８は、代替的な両面粘着テープ１１０を示している。代替的な両面粘着テープ１１０は、バック・プレート１０６の裏面に貼り付けられている。両面粘着テープ１１０は、バック・プレート１０６の裏面のほぼ全体を覆っているが、ねじが通るようにするために、ねじ穴近傍に切れ込み１１２を入れてもよい。また、両面粘着テープ１１０は、両面粘着テープ１０４を剥がすためのつまみ１１４を含んでいてもよい。
【００１７】
[0024]  以上、現時点で本発明の好ましい実施形態と見なされるものについて説明してきたが、添付の特許請求範囲によって定義される本発明の範囲から逸脱することがなければ、本明細書の内容に様々な変更及び修正を施すことができることが当業者には理解されるだろう。
【図面の簡単な説明】
【００１８】
【図１】[004]  レンズ付き携帯型赤色ランプの正面斜視図である。
【図２】[005]  バック・プレートの正面斜視図である。
【図３】[006]  フェース・リングの断面図である。
【図４】[007]  反射板の正面斜視図である。
【図５】[008]  携帯型ランプの側面図である。
【図６】[009]  バック・プレート、電池、カバー・プレート、及びねじを示す展開図である。
【図７】[0010]  代替的なバック・プレートを示す図である。
【図８】[0011]  取付け用の両面粘着テープを示す図である。
【図１】
2009505873.tif 000003
【図２】
2009505873.tif 000004
【図３】
2009505873.tif 000005
【図４】
2009505873.tif 000006
【図５】
2009505873.tif 000007
【図６】
2009505873.tif 000008
【図７】
2009505873.tif 000009
【図８】
2009505873.tif 000010
【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
携帯型ランプ・アセンブリであって、
基部を含み電源を収容する筐体と、前記筐体によって、照明対象となるフィールドに向かって軸方向に対面するように機械的に支持される少なくとも１つの光源と、前記基部上で支持され、反対の軸方向の動きによるスイッチ接点との強制的な接触によって、オン位置とオフ位置の間で作動されるように配向されるスプリング駆動型電気スイッチとを備え、前記電源、少なくとも１つの光源、及びスイッチは、切り換え回路として電気的に相互連結され、更に、
前記筐体に定着される第１の連結点と、前記スイッチ点に接する第２の連結点とを有する反射板であって、前記第１の連結点と前記第２の連結点との中間で弾力的に変形させることができ、前記光源をそれ自体の内部に収容することができるようなサイズ及び位置に形成された通路を更に含む反射板
を備えるランプ・アセンブリ。
【請求項２】
前記反射板に取り付けられ、前記反射板とともに少なくとも前記光源の発光部分を実質的に収容する空洞を画定する透光レンズを更に含む、請求項１に記載のランプ・アセンブリ。
【請求項３】
前記光源は、前記スイッチの周囲に配列された複数のＬＥＤを備える、請求項１に記載のランプ・アセンブリ。
【請求項４】
前記反射板は、形成された前記通路近傍の前記反射板上に形成され、前記光源から放射される光を受けることができるように前記光源と対面する光学面を含む、請求項１に記載のランプ・アセンブリ。
【請求項５】
前記反射板は、少なくとも１つのカットアウト領域を含む、請求項１に記載のランプ・アセンブリ。
【請求項６】
携帯型ランプ・アセンブリであって、
基部を有し、密閉容積及び前記筐体を貫通して前記密閉容積に達する開口部を画定し、電池電源を収容する円筒形の筐体と、前記筐体によって、照明対象となるフィールドに向かって軸方向に、前記開口部を介して対面するように機械的に支持され、前記スイッチ接点の周囲に対称的に配列された複数のＬＥＤ光源と、前記基部上で支持され、反対の軸方向の動きによる、前記開口部の中央に配置されたスイッチ接点との強制的な接触によって、オン位置とオフ位置の間で作動されるように配向される、スプリングの伸張によって作動する電気スイッチとを備え、前記電池電源、前記ＬＥＤ光源、及び前記スイッチは、切り換え回路として電気的に相互連結され、更に、
弾力性のある柔軟なシート材料から形成され、前記円形開口部に達するサイズ及び形状を有し、前記反射板の周辺上に形成され、前記筐体と前記連結点で連結された複数の連結点を有し、前記スイッチ接点に接するように中央に配置された反射板接点を有する反射板であって、各ＬＥＤ毎に、前記各ＬＥＤを前記各通路に通すことを可能にする対応する通路を含み、前記各通路近傍に形成され、前記各ＬＥＤ光源から放射される光を受けるように、また、そのような光を照明対象となるフィールドに向けて反射するように配置された各光反射面を含み、前記連結点と前記反射板接点の中間に放射状に配置され、それによって前記反射板を前記連結点と前記スイッチ接点の中間で弾力的に変形させることが可能となる複数のカットアウトを更に含み、レンズ連結部を更に含む反射板と、
前記反射板と連結され、少なくとも前記ＬＥＤ光源と前記各反射面に達する透光レンズと
を備えるランプ・アセンブリ。
【請求項７】
携帯型ランプ・アセンブリであって、
基部を含み電源を収容する筐体と、前記筐体によって、照明対象となるフィールドに向かって軸方向に対面するように機械的に支持される少なくとも１つの光源と、電気スイッチとを備え、前記電源、少なくとも１つの光源、及びスイッチは、切り換え回路として電気的に相互連結され、更に、
前記筐体に定着される第１の連結点を有する反射板であって、前記光源をそれ自体の内部に収容することができるようなサイズ及び位置に形成された通路を更に含む反射板と
を備え、
前記筐体は、その面の周辺から隆起する少なくとも１つの湾曲部分を有する取付け面を提供する裏面を有する、
ランプ・アセンブリ。
【請求項８】
携帯型ランプ・アセンブリであって、
基部を含み電源を収容する筐体と、前記筐体によって、照明対象となるフィールドに向かって軸方向に対面するように機械的に支持される少なくとも１つの光源と、電気スイッチとを備え、前記電源、少なくとも１つの光源、及びスイッチは、切り換え回路として電気的に相互連結され、更に、
前記筐体に定着される第１の連結点を有する反射板であって、前記光源をそれ自体の内部に収容することができるようなサイズ及び位置に形成された通路を更に含む反射板
を備え、
前記筐体は、その面の周辺から隆起する少なくとも１つのマウンド湾曲部分を有する取付け面を提供する裏面を有し、
前記取付け面は更に、表面取付けを可能にする両面粘着テープを支持する、
ランプ・アセンブリ。
【請求項９】
携帯型ランプ・アセンブリであって、
基部を含み電源を収容する筐体と、前記筐体によって、照明対象となるフィールドに向かって軸方向に対面するように機械的に支持される少なくとも１つの光源と、前記基部上で支持され、反対の軸方向の動きによるスイッチ接点との強制的な接触によって、オン位置とオフ位置の間で作動されるように配向される電気スイッチとを備え、前記電源、少なくとも１つの光源、及びスイッチは、切り換え回路として電気的に相互連結され、更に、
前記筐体に定着される第１の連結点と、前記スイッチ点に接する第２の連結点とを有する反射板であって、前記第１の連結点と前記第２の連結点との中間で弾力的に変形させることができ、前記光源をそれ自体の内部に収容することができるようなサイズ及び位置に形成された通路を更に含む反射板
を備え、
前記光源は、前記スイッチの周辺に配列された複数のＬＥＤを備える、
ランプ・アセンブリ。
【請求項１０】
携帯型ランプ・アセンブリであって、
筐体と、
前記筐体内に収容され、切り換え回路として電気的に相互連結される電源、光源、及び電気スイッチと、
弾性材料から形成され、前記光源を受けるためにそれ自体の内部に形成された少なくとも１つの開口部を有する反射板と、
前記反射板と連結され、前記反射板を移動させ、それによって前記スイッチを駆動する力を受け取るように適合された透光レンズと
を備えるランプ・アセンブリ。
【請求項１１】
前記光源は、前記スイッチの周囲に配列された複数のＬＥＤを備える、請求項１０に記載のランプ・アセンブリ。
【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
携帯型ランプ・アセンブリであって、
基部を含み電源を収容する筐体と、前記筐体によって、照明対象となるフィールドに向かって軸方向に対面するように機械的に支持される少なくとも１つの光源と、前記基部上で支持され、反対の軸方向の動きによるスイッチ接点との強制的な接触によって、オン位置とオフ位置の間で作動されるように配向されるスプリング駆動型電気スイッチとを備え、前記電源、少なくとも１つの光源、及びスイッチは、切り換え回路として電気的に相互連結され、更に、
前記筐体に定着される第１の連結点と、前記スイッチ点に接する第２の連結点とを有する反射板であって、前記第１の連結点と前記第２の連結点との中間で弾力的に変形させることができ、前記光源をそれ自体の内部に収容することができるようなサイズ及び位置に形成された通路を更に含む反射板
を備えるランプ・アセンブリ。
【請求項２】
前記反射板に取り付けられ、前記反射板とともに少なくとも前記光源の発光部分を実質的に収容する空洞を画定する透光レンズを更に含む、請求項１に記載のランプ・アセンブリ。
【請求項３】
前記光源は、前記スイッチの周囲に配列された複数のＬＥＤを備える、請求項１に記載のランプ・アセンブリ。
【請求項４】
前記反射板は、形成された前記通路近傍の前記反射板上に形成され、前記光源から放射される光を受けることができるように前記光源と対面する光学面を含む、請求項１に記載のランプ・アセンブリ。
【請求項５】
前記反射板は、少なくとも１つのカットアウト領域を含む、請求項１に記載のランプ・アセンブリ。
【請求項６】
携帯型ランプ・アセンブリであって、
基部を有し、密閉容積及び前記筐体を貫通して前記密閉容積に達する開口部を画定し、電池電源を収容する円筒形の筐体と、前記筐体によって、照明対象となるフィールドに向かって軸方向に、前記開口部を介して対面するように機械的に支持され、前記スイッチ接点の周囲に対称的に配列された複数のＬＥＤ光源と、前記基部上で支持され、反対の軸方向の動きによる、前記開口部の中央に配置されたスイッチ接点との強制的な接触によって、オン位置とオフ位置の間で作動されるように配向される、スプリングの伸張によって作動する電気スイッチとを備え、前記電池電源、前記ＬＥＤ光源、及び前記スイッチは、切り換え回路として電気的に相互連結され、更に、
弾力性のある柔軟なシート材料から形成され、前記円形開口部に達するサイズ及び形状を有し、前記反射板の周辺上に形成され、前記筐体と前記連結点で連結された複数の連結点を有し、前記スイッチ接点に接するように中央に配置された反射板接点を有する反射板であって、各ＬＥＤ毎に、前記各ＬＥＤを前記各通路に通すことを可能にする対応する通路を含み、前記各通路近傍に形成され、前記各ＬＥＤ光源から放射される光を受けるように、また、そのような光を照明対象となるフィールドに向けて反射するように配置された各光反射面を含み、前記連結点と前記反射板接点の中間に放射状に配置され、それによって前記反射板を前記連結点と前記スイッチ接点の中間で弾力的に変形させることが可能となる複数のカットアウトを更に含み、レンズ連結部を更に含む反射板と、
前記反射板と連結され、少なくとも前記ＬＥＤ光源と前記各反射面に達する透光レンズと
を備えるランプ・アセンブリ。
【請求項７】
携帯型ランプ・アセンブリであって、
基部を含み電源を収容する筐体と、前記筐体によって、照明対象となるフィールドに向かって軸方向に対面するように機械的に支持される少なくとも１つの光源と、電気スイッチとを備え、前記電源、少なくとも１つの光源、及びスイッチは、切り換え回路として電気的に相互連結され、更に、
前記筐体に定着される第１の連結点を有する反射板であって、前記光源をそれ自体の内部に収容することができるようなサイズ及び位置に形成された通路を更に含む反射板と
を備え、
前記筐体は、その面の周辺から延びる複数の隆起マウンドを有する取付け面を提供する裏面を有する、
ランプ・アセンブリ。
【請求項８】
携帯型ランプ・アセンブリであって、
基部を含み電源を収容する筐体と、前記筐体によって、照明対象となるフィールドに向かって軸方向に対面するように機械的に支持される少なくとも１つの光源と、電気スイッチとを備え、前記電源、少なくとも１つの光源、及びスイッチは、切り換え回路として電気的に相互連結され、更に、
前記筐体に定着される第１の連結点を有する反射板であって、前記光源をそれ自体の内部に収容することができるようなサイズ及び位置に形成された通路を更に含む反射板
を備え、
前記筐体は、その面の周辺から延びる複数の隆起マウンドを有する取付け面を提供する裏面を有し、
前記取付け面は更に、表面取付けを可能にする両面粘着テープを支持する、
ランプ・アセンブリ。
【請求項９】
携帯型ランプ・アセンブリであって、
基部を含み電源を収容する筐体と、前記筐体によって、照明対象となるフィールドに向かって軸方向に対面するように機械的に支持される少なくとも１つの光源と、前記基部上で支持され、反対の軸方向の動きによるスイッチ接点との強制的な接触によって、オン位置とオフ位置の間で作動されるように配向される電気スイッチとを備え、前記電源、少なくとも１つの光源、及びスイッチは、切り換え回路として電気的に相互連結され、更に、
前記筐体に定着される第１の連結点と、前記スイッチ点に接する第２の連結点とを有する反射板であって、前記第１の連結点と前記第２の連結点との中間で弾力的に変形させることができ、前記光源をそれ自体の内部に収容することができるようなサイズ及び位置に形成された通路を更に含む反射板
を備え、
前記光源は、前記スイッチの周辺に配列された複数のＬＥＤを備える、
ランプ・アセンブリ。
【請求項１０】
携帯型ランプ・アセンブリであって、
筐体と、
前記筐体内に収容され、切り換え回路として電気的に相互連結される電源、光源、及び電気スイッチと、
弾性材料から形成され、前記光源を受けるためにそれ自体の内部に形成された少なくとも１つの開口部を有する、前記電気スイッチの近傍に所在する反射板と、
前記反射板と連結され、前記反射板を移動させ、それによって前記スイッチを駆動する力を受け取るように適合された透光レンズと
を備えるランプ・アセンブリ。
【請求項１１】
前記光源は、前記スイッチの周囲に配列された複数のＬＥＤを備える、請求項１０に記載のランプ・アセンブリ。
【国際調査報告】
2009505873.tif 000011
2009505873.tif 000012